(57)【要約】【課題】視準孔を用いた高精度の光軸調整が可能な光電式分離型感知器を得る。【解決手段】本発明に係る光電式分離型感知器１は、光学台２１の水平方向の角度を調整するための水平角調整手段と、光学台２１の垂直方向の角度を調整するための垂直角調整手段と、これら水平角調整手段又は垂直角調整手段によって対向器との位置調整を行う際に対向器の位置を視認するための視準孔２７ａとを有し、視準孔２７ａは発光素子２１又は受光素子２２を通る水平面内に設けられていることを特徴とするものである。【選択図】  図１
2014059784.tif 000002
【特許請求の範囲】
【請求項１】
発光素子が収容された光学台を有する送光器と、受光素子が収容された光学台を有する受光器とを監視空間内に対向配置してなる光電式分離型感知器であって、前記光学台は、本体側に垂直方向および水平方向の角度調整可能に取り付けられてなり、
前記光学台は、水平方向の角度を調整するための水平角調整手段と、前記光学台の垂直方向の角度を調整するための垂直角調整手段と、これら水平角調整手段又は垂直角調整手段によって対向器との位置調整を行う際に対向器の位置を視認するための視準孔とを有し、
前記視準孔は、前記発光素子又は前記受光素子を通る水平面内、または前記発光素子又は前記受光素子を通る前記光学台奥行方向の垂直面内に設けられていることを特徴とする光電式分離型感知器。
【請求項２】
前記視準孔は、前記発光素子又は前記受光素子を通る水平面内、及び前記発光素子又は前記受光素子を通る前記光学台奥行方向の垂直面内のそれぞれに１個設けられていることを特徴とする請求項１記載の光電式分離型感知器。
【請求項３】
水平面内に設けられる前記視準孔の孔形状は横長であり、垂直面内に設けられる前記視準孔の孔形状は縦長であることを特徴とする請求項１又は２に記載の光電式分離型感知器。
【請求項４】
水平面内に設けられた前記視準孔又は垂直面内に設けられた前記視準孔のうち後の角度調整の際に用いる視準孔の孔形状は、先の角度調整の際に用いる視準孔側の開口面積を大きく設定していることを特徴とする請求項３記載の光電式分離型感知器。
【請求項５】
前記視準孔の縁部における、前記視準孔の該視準孔長手方向中央および他の視準孔側の位置に目印を設けたことを特徴とする請求項３または４に記載の光電式分離型感知器。
【発明の詳細な説明】
【技術分野】
【０００１】
本発明は、発光素子が収容された光学台を有する送光器と、受光素子が収容された光学台を有する受光器とを監視空間内に対向配置してなる光電式分離型感知器に関するものである。
【背景技術】
【０００２】
光電式分離型感知器は、発光素子を収容した送光器と、受光素子を収容した受光器とを高所（通常、地上１０〜１５ｍ）において通常５〜１００ｍの監視距離を隔てて対向配置して送光器と受光器の間に、煙が存在することによる光の減衰を感知することで、火災を検知するものである。
送光器と受光器を長距離離して設置するため、送光器と受光器の光軸を一致させるための調整が必要である。
【０００３】
そのため光電式分離型感知器は、例えば特許文献１に開示されるように光軸調整用の視準孔と光軸調整手段を有している。
特許文献１の光電式分離型感知器の送光器（受光器）は、光学台の上部片側に視準孔を有しており、反射鏡を利用して送光器（受光器）の側方から覗いて対向器の位置を確認できるようになっている。
【先行技術文献】
【特許文献】
【０００４】
【特許文献１】実開平０６−０３７９８８号公報
【発明の概要】
【発明が解決しようとする課題】
【０００５】
しかし、発光素子（受光素子）の水平方向、垂直方向位置からずれて視準孔が設けられている場合、該視準孔で見かけ上の調整をしても、実際には光軸はずれているという問題がある。
例えば、特許文献１では、視準孔は発光素子（受光素子）の垂直方向および水平方向のいずれの位置からもずれた位置に設けられている。そのため、対向器を視準孔の中心に見えるように光学台の角度を調整しても、実際には光軸はずれていることになる。
【０００６】
本発明は、上記のような問題を解決するためになされたものであり、視準孔を用いた高精度の光軸調整が可能な光電式分離型感知器を得ることを目的とする。
【課題を解決するための手段】
【０００７】
（１）本発明に係る光電式分離型感知器は、発光素子が収容された光学台を有する送光器と、受光素子が収容された光学台を有する受光器とを監視空間内に対向配置してなる光電式分離型感知器であって、前記光学台は、本体側に垂直方向および水平方向の角度調整可能に取り付けられてなり、
前記光学台は、水平方向の角度を調整するための水平角調整手段と、前記光学台の垂直方向の角度を調整するための垂直角調整手段と、これら水平角調整手段又は垂直角調整手段によって対向器との位置調整を行う際に対向器の位置を視認するための視準孔とを有し、
前記視準孔は、前記発光素子又は前記受光素子を通る水平面内、または前記発光素子又は前記受光素子を通る前記光学台奥行方向の垂直面内に設けられていることを特徴とするものである。
【０００８】
（２）また、上記（１）に記載のものにおいて、前記視準孔は、前記発光素子又は前記受光素子を通る水平面内、及び前記発光素子又は前記受光素子を通る前記光学台奥行方向の垂直面内のそれぞれに１個設けられていることを特徴とするものである。
【０００９】
（３）また、上記（１）又は（２）に記載のものにおいて、水平面内に設けられる前記視準孔の孔形状は横長であり、垂直面内に設けられる前記視準孔の孔形状は縦長であることを特徴とするものである。
【００１０】
（４）また、上記（３）に記載のものにおいて、水平面内に設けられた前記視準孔又は垂直面内に設けられた前記視準孔のうち後の角度調整の際に用いる視準孔の孔形状は、先の角度調整の際に用いる視準孔側の開口面積を大きく設定していることを特徴とするものである。
【００１１】
（５）また、上記（３）又は（４）に記載のものにおいて、前記視準孔の縁部における、前記視準孔の該視準孔長手方向中央および他の視準孔側の位置に目印を設けたことを特徴とするものである。
【発明の効果】
【００１２】
本発明においては、視準孔が、発光素子又は受光素子を通る水平面内、または／および発光素子又は受光素子を通る光学台奥行方向の垂直面内に設けられたことにより、視準孔を用いて高精度の光軸調整が可能となる。
【図面の簡単な説明】
【００１３】
【図１】本発明の実施の形態１にかかる光電式分離型感知器の送光器の斜視図である。
【図２】本発明の実施の形態１にかかる光電式分離型感知器の全体構成と光軸について説明する説明図である。
【図３】図１の送光器の本体の斜視図である。
【図４】図１の送光器の光学台を構成する部品の斜視図である。
【図５】図１の送光器の光軸調整方法を説明する説明図である。
【図６】本発明の実施の形態２にかかる光電式分離型感知器の送光器の斜視図である。
【図７】図６の送光器の光学台を構成する部品の斜視図である。
【図８】図６の送光器の光軸調整方法の一例を説明する説明図である（その１）。
【図９】図６の送光器の光軸調整方法の一例を説明する説明図である（その２）。
【図１０】図６の送光器の視準孔の他の態様を説明する説明図である（その１）。
【図１１】図６の送光器の視準孔の他の態様を説明する説明図である（その２）。
【図１２】図６の送光器の視準孔の他の態様を説明する説明図である（その３）。
【図１３】図６の送光器の視準孔の他の態様を説明する説明図である（その４）。
【図１４】図６の送光器の視準孔の他の態様を説明する説明図である（その５）。
【図１５】図１４の視準孔を用いた光軸調整方法の一例を説明する説明図である（その１）。
【図１６】図１４の視準孔を用いた光軸調整方法の一例を説明する説明図である（その２）。
【発明を実施するための形態】
【００１４】
［実施の形態１］
本発明の一実施の形態に係る光電式分離型感知器１について、図１〜図４に基づいて説明する。
光電式分離型感知器１は、図２（ａ）に示すように、発光素子１９が収容された光学台２１を有する送光器３と、受光素子２２が収容された光学台２１を有する受光器５とを監視空間内に対向配置してなる。なお、送光器３と受光器５では、発光素子１９と受光素子２２およびその関連回路を除き、ほとんど同一の構成であるので、以下の説明では、送光器３を例に挙げて説明する。
【００１５】
送光器３は、図１、図３、図４に示すように、扁平した箱状からなり基板等を格納する器台７と、立断面が略Ｕ字状からなり器台７側に水平方向に回動可能に取り付けられた光学台支持枠９とを備える本体１１（図１および図３参照）と、板状からなり本体１１が取り付けられる本体取付板１３と、建造物の壁側に取り付けられて本体取付板１３を設置するベース１５と、本体１１を覆う有底枠体のカバー１７（図２（ａ）参照）と、光学台支持枠９に垂直方向に回動可能に取り付けられて、発光素子１９を収容する光学台２１と、光学台２１の水平方向の回動角（水平角）を調整するための水平角調整手段の操作部を備える水平角調整用雄ネジ２３と、光学台２１の垂直方向の回動角（垂直角）を調整するための垂直角調整手段の操作部を備える垂直角調整用雄ネジ２５とを有している。なお、図１はカバー１７を取り外した状態を図示したものである。
【００１６】
水平角調整用雄ネジ２３は頭部が操作部となっている。水平角調整用雄ネジ２３を回転させれば光学台支持枠９が水平方向に回動するようになっており、光学台支持枠９が水平方向に回動することで光学台２１が水平方向に回動する。
垂直角調整用雄ネジ２５も水平角調整用雄ネジ２３と同様に、頭部が操作部となっている。垂直角調整用雄ネジ２５を回転させれば光学台２１が垂直方向に回動するようになっている。
上記の構成のうち、本発明の特徴である光学台２１について図１および図４に基づいて以下に詳細に説明する。
【００１７】
＜光学台＞
光学台２１は、図１に示すように、概形が扁平円筒状からなる。図４に光学台２１の外枠２１ａのみを図示したものを示す。
光学台２１の内部には、発光素子１９（受光器５の場合は、受光素子２２）が収容されている（図１、図２（ａ）および図２（ｂ）参照）。
光学台２１の前面には発光素子１９の光を遠方に届けるため（受光器５の場合は、受光素子２２に光を集めるため）のレンズ２１ｂが装着されている。
【００１８】
光学台２１の左側の正面側には、外方に伸びる板状の視準片２７が設けられている。視準片２７には視準孔２７ａが設けられている。
視準孔２７ａの形状は、図１、図４および図５に示す通り、横長の略長方形状をしており、視準孔２７ａの縦方向中心が発光素子１９を通る水平面内に位置するように設けられている。それ故、視準孔２７ａの縦方向中心に受光器５が位置するように光学台２１の垂直角調整を行うと、光軸Ｌの垂直角が受光器５にほぼ一致するようになっている。
【００１９】
視準孔２７ａは上述したとおり横長の略長方形状、すなわち上下方向が狭くなるような形状になっているため、光学台２１の垂直角調整を行う際に、受光器５が視準孔２７ａの縦方向中心に位置しているかどうかを確認しやすくなっている。また、左右方向が広くなっているので、受光器５を探しやすくなっている。なお、光軸調整についてはさらに後述する。
【００２０】
視準片２７の背面側には、図中左側に傾斜する反射鏡２９が設けられている（図１参照。図４は反射鏡２９を取り外した状態を図示している）。
視準片２７の図中左側には、反射鏡２９に映った視準孔２７ａを覗き見ることができる覗き孔３１ａを有する覗き片３１が設けられている。
つまり、視準孔２７ａの背面側には反射鏡２９が設けられ、覗き孔３１ａから反射鏡２９を介して視準孔２７ａを見ることができるようになっている。
【００２１】
以上のように構成された送光器３の光軸調整方法について説明する。
光軸調整は、送光器３と受光器５を対向させて（図２（ａ）参照）壁側に設置した後に行う。光軸調整は、光学台２１の水平角および垂直角を水平角調整用雄ネジ２３および垂直角調整用雄ネジ２５を用いて調整して、図２（ｂ）に示すように、光軸Ｌを対向器の発光素子２１または受光素子２２（図２（ｂ）中においては受光器５の受光素子２２）に水平方向および垂直方向を一致させる。
光軸調整は、視準孔２７ａを用いてあらかた光軸Ｌを調整（粗調整）した後、所定の出力が得られているかを確認しながら微調整を行う。以下、粗調整と微調整について詳細に説明する。
【００２２】
≪粗調整≫
粗調整は、視準孔２７ａ、覗き孔３１ａおよび反射鏡２９を用いて受光器５の位置を確認しながら、水平角調整用雄ネジ２３および垂直角調整用雄ネジ２５を回して、光学台２１の水平角および垂直角を調整する。
上述したとおり、覗き孔３１ａから反射鏡２９を見ると視準孔２７ａが見えるようになっており、覗き孔３１ａから視準孔２７ａを見たときに、視準孔２７ａの中に対向器が見えるよう光学台２１の角度を調整する。
【００２３】
図５は、覗き孔３１ａから見た反射鏡２９に映る視準孔２７ａと視準孔２７ａの中に見える対向器（図５には例として受光器５を図示している）の位置について図示したものである。
まず、覗き孔３１ａを覗きながら水平角調整用雄ネジ２３および垂直角調整用雄ネジ２５を回して、受光器５が反射鏡２９および視準孔２７ａを介して視界に入るようにする（図５（ａ）参照）。
【００２４】
次いで、さらに調整して、図５（ｂ）に示すように、視準孔２７ａの中央に受光器５が位置するようにする。このとき、上述したとおり、視準孔２７ａは横長の形状をしているため、受光器５が視準孔２７ａの縦方向中心に位置しているかどうかを確認しやすくなっている。言い換えると、縦方向の長さが短いため、反射鏡２９から見た視準孔２７ａ内に受光器５の上端と下端が入れば、おおよそ受光器５が視準孔２７ａの縦方向中心に位置することになる。
また、視準孔２７ａの位置は光軸Ｌの垂直方向と一致しているため、図５（ｂ）に示すように調整することによって、光軸Ｌの垂直方向の調整を完了させることができる。
【００２５】
≪微調整≫
微調整は、図示しない電圧計等を用いて受光出力レベルを確認しながら、所定の出力が得られるように光学台２１の水平角および垂直角を調整する。
このとき、上述したとおり、光軸Ｌの垂直方向の調整はほぼ完了しているため、水平方向の調整を主に行えばよいので、作業が非常に軽減される。
最後に、本体１１をカバー１７で覆えば光軸調整は終了する。
【００２６】
以上のように、本実施の形態においては、視準孔２７ａが発光素子１９を通る水平面内に設けられているため、粗調整時において、光軸Ｌの垂直角調整を非常に高精度に行うことが可能である。
【００２７】
なお、上記では視準孔２１ａが光学台２１を正面から見て左側に設けられているものを例に挙げたが、右側に設けられていてもよい。この場合、覗き片３１（覗き孔３１ａ）および反射鏡２９も右側に設けられる。
また、視準孔は光学台２１を正面から見て、光学台２１の上側または下側に設けられていてもよい。この場合、発光素子１９または受光素子２２を含む奥行方向の垂直面内に視準孔を設けるため、粗調整時において、光軸Ｌの水平角調整を非常に高精度に行うことが可能である。この場合における構成の詳細については、実施の形態２で光学台２１の下側に視準孔（視準孔４１ａ）を設けた例を挙げているので、実施の形態２で詳細な説明を行う。
【００２８】
［実施の形態２］
上記実施の形態１では視準孔２７ａは発光素子１９を通る水平面内に１つ設けられているもの（図１参照）を例示したが、視準孔の数はこれに限られない。例えば、図６に示すように、図１に示した構成に発光素子１９を通る光学台２１の奥行き方向垂直面内に視準孔４１ａを追加で設けて、計２つの視準孔を備えるようにしても良い。
２つの視準孔を上記のような配置にすることで、視準孔２７ａを垂直角調整用に特化させて、視準孔４１ａを水平角調整用に特化させることができる。
【００２９】
図６に示した光学台２１には、視準孔４１ａに対応する反射鏡４３及び覗き孔４５ａが設けられている（図６および図７参照。なお、図７は反射鏡４３を取り外した状態を図示している）。
水平角調整用の反射鏡４３は、図６に示すように、作業者が水平角調整用の覗き孔４５ａを覗き見たときに、水平角調整用の視準孔４１ａが映り込むように図中左側に傾斜して設置されている。
【００３０】
水平角調整用の視準孔４１ａは、図６および図７に示すように、光学台２１の下側の正面側に設けられた外方に伸びる板状からなる視準片４１に設けられている。視準孔４１ａは、図８（ｃ）および図８(ｄ)に示す通り縦長の形状をしており、対向器が視準孔４１ａの横方向中心に位置しているかどうかを確認しやすくなっている。
水平角調整用の覗き孔４５ａは、図６および図７に示すように、垂直角調整用の覗き孔３１ａの下方に設けられた覗き片４５に設けられている。このように、垂直角調整用の覗き孔３１ａと水平角調整用の覗き孔４５ａは光学台２１の片側にまとまって設けられているので、作業者は垂直角調整と水平角調整を連続で行う場合に、作業性に優れる。
【００３１】
以上のように構成された送光器３の光軸調整方法の一例について説明する。
光軸調整の順番は、上記実施の形態１と同様に、粗調整をした後に所定の出力が得られているかを確認しながら微調整を行う。以下、微調整は実施の形態１と同様でその説明を省略する。粗調整について以下に詳細に説明する。
【００３２】
まず、垂直角調整用の覗き孔３１ａを覗きながら水平角調整用雄ネジ２３および垂直角調整用雄ネジ２５を回して、受光器５が反射鏡２９および視準孔２７ａを介して視界に入るようにする（図８（ａ）参照）。
次いで、さらに調整して、図８（ｂ）に示すように、覗き孔４５ａから見た反射鏡４３に映る垂直角調整用の視準孔２７ａの中央に受光器５が位置するようにする。上述したとおり、視準孔２７ａの位置は発光素子１９の垂直方向と一致しているため、図８（ｂ）に示すように調整することによって、光軸Ｌの垂直方向の調整を完了させることができる。
【００３３】
この状態で水平角調整用の覗き孔４５ａを覗き見ると、図８（ｃ）に示すように、視準孔４１ａの横方向中心から上側にずれて見えるとともに、縦方向中心からもずれて見える。これは、垂直角調整用の視準孔２７ａと水平角調整用の視準孔４１ａの設けられている位置の違いによるものである。
水平角調整用の視準孔４１ａは垂直角調整用の視準孔２７ａよりも下側にあるため視点が下がり、その分、受光器５が上側にずれて見える。また、垂直角調整用の視準孔２７ａは水平角調整用の視準孔４１ａよりも、正面から見て左側にあるため視点がずれて、その分、受光器５がずれて見える。
【００３４】
上述したとおり、光軸Ｌの垂直方向の調整は完了しているため、縦方向にずれて見えることは気にしなくてよい。
他方、横方向のずれは、次の理由から調整する必要がある。垂直角調整用の視準孔２７ａの水平方向位置は、正面から見て発光素子１９の左側にずれて設けられているため、図８（ｂ）に示すように、受光器５が垂直角調整用の視準孔２７ａの横方向中心になるように見かけ上の水平角調整を行っても、実際には光軸Ｌの水平角がずれていることになる。
【００３５】
そこで、水平角調整用の覗き孔４５ａを覗きながら水平角調整用雄ネジ２３のみを操作して、受光器５が図８（ｄ）に示すように、水平角調整用の視準孔４１ａの横方向中心になるように水平角調整を行う。このとき、視準孔４１ａは縦長の形状をしているため、受光器５が視準孔４１ａの横方向中心に位置しているかどうかを確認しやすくなっている。言い換えると、横方向の長さが短いため、反射鏡４３から見た視準孔４１ａ内に受光器５の左端と右端が入れば、おおよそ受光器５が視準孔４１ａの横方向中心に位置することになる。こうすることで、光軸Ｌの水平方向の調整を完了させることができる。
【００３６】
なお、上記では、図８（ｂ）に示すように、受光器５を垂直角調整用の視準孔２７ａの中央（縦方向中心かつ横方向中心）に受光器５が位置するようにするようにしたが、垂直角調整用の視準孔２７ａを用いての調整では水平角調整を精度よく行うことは難しいため、縦方向中心に位置するように調整するだけでもよい。
【００３７】
以上のように、本実施の形態においては、視準孔２７ａが発光素子１９を通る水平面内に設けられており、視準孔４１ａが発光素子１９を通る光学台２１の奥行き方向垂直面内に設けられているため、これらの視準孔を用いて垂直角調整と水平角調整を２段階で行うことによって、粗調整の段階で光軸Ｌの調整を高精度に行うことができるため、次の作業である微調整の作業が大幅に軽減されて非常に効率がよい。
【００３８】
上記では、垂直角調整後に水平角調整を行ったが、順番を逆にして水平角調整後に垂直角調整を行ってもよい。より具体的には、覗き孔２７ａ、４１ａから見た反射鏡２９、４３の様子を示した図９のように、まず、水平角調整用の視準孔４１ａを用いて水平角調整および垂直角調整を行い（図９（ａ）および図９（ｂ）参照）、次いで、垂直角調整用の視準孔２７ａを用いて垂直角調整のみを行う（図９（ｃ）および図９（ｄ）参照）。
【００３９】
また、上記では、視準孔（視準孔２７ａ、視準孔４１ａ）の形状が略長方形状のもの（図８および図９参照）を示したが、視準孔の形状はこれに限定されない。例えば、調整の順番が垂直角調整を行ってから水平角調整を行うようにすると決めている場合、図１０（ｂ）に示すように、水平角調整用の視準孔５１を略正方形形状としてもよい。また、視準孔２７ａによる垂直角調整、視準孔５２に対して受光器５は垂直方向にずれることが予め分かっているので、視準孔５１の位置は視準片４１の上方にあれば良い。このような形状、位置にすることによって、垂直角調整後に水平角調整用の覗き孔４５ａを覗けば、受光器５が視準孔５１の縦方向のほぼ中心に位置して、水平方向のみがずれて見えるため、水平角調整のみを行えばよいということを作業者が直感的に把握できる。
【００４０】
また、調整の順番が上記と逆の順番、すなわち水平角調整を行ってから垂直角調整を行うようにすると決めている場合は図１１に示すように、垂直角調整用の視準孔５３を略正方形形状としてもよい。
【００４１】
視準孔の他の態様としては、図１２（ｂ）や図１３（ｂ）に示すように、一方向に向かって縮小するような形状としてもよい（視準孔６１、視準孔６３）。このような形状とすることで視準孔５１（図１０（ｂ）参照）や視準孔５３（図１１（ｂ）参照）に示す形状よりも視界を広げることができ次のような効果を奏する。送光器３と受光器５の距離が離れている場合、視準孔内に見える受光器５が非常に小さくて、その位置を把握することが困難な場合がある。この場合、視準孔６１や視準孔６３のような形状にすることで視界が広がるため受光器５以外の構造物等をみつけやすくなっており、その構造物等を目印にすれば、構造物等と受光器５の相対位置関係により、視準孔内における受光器５の位置を把握しやすくなっている。
【００４２】
上記の視準孔５１、視準孔５３、視準孔６１および視準孔６３は、水平角調整と垂直角調整の実施の順番が予め決まっている場合を前提としたものである。
これらの視準孔のさらに他の態様として、視準孔の縁部の該視準孔長手方向中央および他の視準孔側の位置に目印を設けて、水平角調整と垂直角調整の順番を決めずに実施可能なようにしたものを図１４に示す。
【００４３】
図１４（ａ）および図１４（ｂ）は、覗き孔３１ａおよび覗き孔４５ａから覗いた反射鏡２９および反射鏡４３に映る視準孔２７ａおよび視準孔４１ａであり、図１０に示す視準孔２７ａおよび視準孔４１ａの縁に、対向器の見えるべき位置を示す目印としてのリブ（リブ７１ａ、リブ７１ｂ、リブ７３ａ、リブ７３ｂ）を設けたものを図示したものである。図１４（ａ）は垂直角調整用の視準孔２７ａを示したものであり、図１４（ｂ）は水平角調整用の視準孔４１ａを図示したものである。
【００４４】
垂直角調整用の視準孔２７ａには、図１４（ａ）に示す通り、視準孔２７ａの横方向中央に視準孔２７ａの上下にリブ７１ａが設けられている。
また、横方向中央から視準孔４１ａ側、すなわち左側にずれた位置に同様にリブ７１ｂが設けられている。リブ７１ｂは、垂直角調整を水平角調整の後で行う場合、受光器５がずれて見えるべき位置を示している。
【００４５】
水平角調整用の視準孔４１ａには、図１４（ｂ）に示す通り、視準孔４１ａの縦方向中央に視準孔４１ａの左右にリブ７３ａが設けられている。
また、縦方向中央から視準孔２７ａ側、すなわち上側にずれた位置に同様にリブ７３ｂが設けられている。リブ７３ｂは、水平角調整を垂直角調整の後で行う場合、受光器５がずれて見えるべき位置を示している。
【００４６】
このように、視準孔の縁部に該視準孔長手方向中央および他の視準孔側の位置に目印を設けることで、上述したように水平角調整と垂直角調整のいずれを先に実施してもよい。このことについて以下に図１５および図１６に基づいて詳細に説明する。
【００４７】
図１５は垂直角調整後に水平角調整を行う場合におけるリブの使用方法について説明する説明図である。この場合、リブ７１ａとリブ７３ｂを用いて調整を行う。
まず、垂直角調整用の覗き孔３１ａを覗きながら水平角調整用雄ネジ２３および垂直角調整用雄ネジ２５を回して、受光器５が反射鏡２９および視準孔２７ａを介して視界に入るようにする（図１５（ａ）参照）。
【００４８】
次いで、さらに調整して、図１５（ｂ）に示すように、リブ７１ａの位置に合わせるようにして垂直角調整用の視準孔２７ａの中央に受光器５が位置するようにする。こうすることで、光軸Ｌの垂直方向の調整を完了させることができる。
【００４９】
この状態で水平角調整用の覗き孔４５ａを覗き見ると、図１５（ｃ）に示すように、視準孔４１ａの縦方向中心から必ず上側すなわちリブ７３ｂ側にずれて見えることになる。これは、上述したとおり、水平角調整用の視準孔４１ａが垂直角調整用の視準孔２７ａよりも下側にあり、視点が下側にずれるためである。
仮に下側すなわちリブ７３ｂ他側にずれて見える場合は、光軸Ｌの垂直方向の調整が正しく行われなかったか、調整後にずれた可能性があり、いずれにせよ再度垂直角調整用の視準孔２７ａを用いて調整が必要である。こうすることによって、作業者は垂直角調整が適切に行われなかったことを見過ごすことなく作業をすることができる。
【００５０】
次いで、水平角調整用の覗き孔４５ａを覗きながら、受光器５が縦方向上側にずれて見えることを確認した後、水平角調整用雄ネジ２３のみを操作して、受光器５が図１５（ｄ）に示すように、水平角調整用の視準孔４１ａの横方向中心になるように水平角調整を行う。
【００５１】
水平角調整後に垂直角調整を行う場合も上記と同様である。このことについて図１６に基づいて説明する。この場合、リブ７３ａとリブ７１ｂを用いて調整を行う。
まず、水平角調整用の覗き孔４５ａを覗きながら水平角調整用雄ネジ２３および垂直角調整用雄ネジ２５を回して、受光器５が反射鏡４３および視準孔４１ａを介して視界に入るようにする（図１６（ａ）参照）。
次いで、さらに調整して、図１６（ｂ）に示すように、リブ７３ａの位置に合わせるようにして垂直角調整用の視準孔４１ａの中央に受光器５が位置するようにする。
水平角調整用の視準孔４１ａの中央に受光器５が位置するようにする。こうすることで、光軸Ｌの水平方向の調整を完了させることができる。
【００５２】
この状態で垂直角調整用の覗き孔３１ａを覗き見ると、図１６（ｃ）に示すように、視準孔２７ａの縦方向中心から必ず左側すなわちリブ７１ｂ側にずれて見えることになる。これは、上述したとおり、垂直角調整用の視準孔２７ａが水平角調整用の視準孔４１ａよりも、光学台２１に向かって左側にあり、視点が左側にずれて、さらに反射鏡２９で左右反転して見えるためである。仮に右側すなわちリブ７１ｂ他側にずれて見える場合は正しく調整ができていないため、再度水平角調整用の視準孔２７ａを用いて調整が必要である。こうすることによって、作業者は水平角調整が適切に行われなかったことを見過ごすことなく作業をすることができる。
【００５３】
次いで、垂直角調整用の覗き孔３１ａを覗きながら、受光器５が縦方向左側にずれて見えることを確認した後、垂直角調整用雄ネジ２５のみを操作して、受光器５が図１６（ｄ）に示すように、垂直角調整用の視準孔２７ａの縦方向中心に一致するように垂直角調整を行う。
【００５４】
以上のように、視準孔２７ａおよび視準孔４１ａの縁部に目印としてのリブ（リブ７１ａ、リブ７１ｂ、リブ７３ａ、リブ７３ｂ）を設けてこれらを用いることで、水平角調整と垂直角調整の実施のどちらを先に行ってもよく、作業性に優れる。
【００５５】
なお、リブ７１の形状や位置は１４（ａ）および図１４（ｂ）に示すものに限られず、対向器の見えるべき位置を意味するものであればどのようなものでもよい。
【００５６】
また、上記実施の形態２では視準孔が光学台２１を正面から見て左側と下側に設けられているものを例に挙げたが、視準孔の位置はこれに限らない。視準孔２７ａは発光素子１９または受光素子２２を通る水平面内にあれば良く、一方、視準孔４１ａは発光素子１９または受光素子２２を通る正面方向から奥方向へ向かう奥行方向の垂直面内にあれば良い。例えば、光学台２１を正面から見て左側と上側、あるいは右側と下側側、あるいは右側と上側に視準孔が設けられていてもよい。
この場合において、後の角度調整の際に用いる方の視準孔からは、対向器の見え方が上記の説明と異なるため、視準孔の形状やリブ７１の位置は適宜変更する。
【符号の説明】
【００５７】
１  光電式分離型感知器
３  送光器
５  受光器
７  器台
９  光学台支持枠
１１  本体
１３  本体取付板
１５  ベース
１７  カバー
１９  発光素子
２１  光学台
２１ａ  外枠
２１ｂ  レンズ
２２  受光素子
２３  水平角調整用雄ネジ
２５  垂直角調整用雄ネジ
２７  視準片
２７ａ  視準孔
２９  反射鏡
３１  覗き片
３１ａ  覗き孔
４１  視準片
４１ａ  視準孔
４３  反射鏡
４５  覗き片
４５ａ  覗き孔
５１  視準孔
５３  視準孔
６１  視準孔
６３  視準孔
７１ａ、７１ｂ  リブ
７３ａ、７３ｂ  リブ
【図１】
2014059784.tif 000003
【図２】
2014059784.tif 000004
【図３】
2014059784.tif 000005
【図４】
2014059784.tif 000006
【図５】
2014059784.tif 000007
【図６】
2014059784.tif 000008
【図７】
2014059784.tif 000009
【図８】
2014059784.tif 000010
【図９】
2014059784.tif 000011
【図１０】
2014059784.tif 000012
【図１１】
2014059784.tif 000013
【図１２】
2014059784.tif 000014
【図１３】
2014059784.tif 000015
【図１４】
2014059784.tif 000016
【図１５】
2014059784.tif 000017
【図１６】
2014059784.tif 000018